(57)【要約】【課題】時事ニュースに関する日記の作成に際し、その日記の装飾に関する操作を簡素化し、操作コストを低減させることのできる時事ニュースに関する日記作成支援システムおよび時事ニュースに関する日記作成支援方法を提供する。【解決手段】記述された日記に関連する最新の話題キーワードから、当該話題キーワードの共起語を突発的且つ顕著な流行を示した動的な共起語と長期に亘って広く一般的に用いられている静的な共起語に区分して取得し、双方の共起語と当該日記との関連度の対比に基づいて当該日記が時事ニュースについて記述されたものか否かを判定する。更に、当該日記が時事ニュースについて記述されたものでると判定されたときに、前記動的な共起語と既定の各テンプレートのタグ情報との関連度を算出し、各テンプレートについて当該日記への適合度合いの優先度付けをして、この優先度に応じてテンプレートを提示する。【選択図】  図３
2011159205.tif 000002
【特許請求の範囲】
【請求項１】
ユーザからの要求に応じて日記の作成処理および閲覧処理の何れかの処理を含む日記の管理のための処理を実行する日記管理部と、
日記の装飾に適用するテンプレートおよび該テンプレートを適用する制作意図を表す制作意図情報を共に管理するテンプレート管理部と、
ウェブ上に公開された情報およびニュース配信サービスサイトから提供されるニュース情報の何れかを含む情報を収集し、該収集された情報からキーワードを抽出し、該抽出されたキーワードのうち関連度の高い複数のキーワードを共起語として識別し、該識別された共起語を保持する時事ニュース管理部と、
前記ユーザが作成した日記が時事ニュースに関連する内容のものであるか否かを当該作成された日記に含まれるキーワードを前記時事ニュース管理部に保持された共起キーワードと照合して判定し、該判定の結果に応じて当該時事ニュースに適合する装飾用テンプレートを前記テンプレート管理部の管理下にあるテンプレートから選択し、該選択されたテンプレートをユーザに提供するテンプレート候補選択部と、
を備えていることを特徴とする日記作成支援システム。
【請求項２】
前記時事ニュース管理部は、或る短い期間内に突発的に顕著な流行を示したニュースに関するキーワードを話題キーワードとして弁別し、既定の注目期間において使用頻度が変化しつつ前記話題キーワードと共に用いられる共起語を動的な共起語として識別し保持するように構成され、
前記テンプレート候補選択部は、前記動的な共起語と関連度の高いテンプレートのタグ情報を特定するように構成されていることを特徴とする請求項１に記載の日記作成支援システム。
【請求項３】
前記時事ニュース管理部は、既定の長期に亘って広く一般的に用いられている共起語を静的な共起語として識別するように構成され、
前記テンプレート候補選択部は、前記動的な共起語とテンプレートとの関連度および前記静的な共起語とテンプレートとの関連度を比較し、前記動的な共起語との関連度が相対的に高いテンプレートのタグ情報を特定するように構成されていることを特徴とする請求項２に記載の日記作成支援システム。
【請求項４】
記述された日記に関連する最新の話題キーワードを取得する第１ステップと、
前記第１ステップで取得した話題キーワードに関連して、当該話題キーワードの共起語を突発的且つ顕著な流行を示した動的な共起語と長期に亘って広く一般的に用いられている静的な共起語に区分して取得し、該取得した動的な共起語と当該日記との関連度および静的な共起語と当該日記との関連度の対比に基づいて当該日記が時事ニュースについて記述されたものか否かを判定する第２ステップと、
前記第２ステップで当該日記が時事ニュースについて記述されたものでると判定されたときに、前記動的な共起語と既定の各テンプレートのタグ情報との関連度を算出し、各テンプレートについて当該日記への適合度合いの優先度付けをする第３のステップと、
前記第３のステップで付された優先度に応じてテンプレートの提示を行う第４のステップと、
を含んでいることを特徴とする日記作成支援方法。
【発明の詳細な説明】
【技術分野】
【０００１】
本発明は時事ニュースに関連する日記の作成を支援する日記作成支援システムおよび日記作成支援方法に関する。
【背景技術】
【０００２】
近年、ウェブサイト上に公開する日記等の作成を支援するための技術が種々提案されている。一例としては、作者の行動内容や単なる身辺雑記を記録するのではなく、人に読んでもらえて、気軽に反応（コメント）してもらえるような内容の日記の作成を支援しようとする提案がある（例えば、特許文献１参照）。
特許文献１には、人が書いた日記を蓄積する日記テーマデータベースと、日記テーマデータベースに蓄積された日記を分析して、人からの反応の多い日記から抽出したテーマを基にテーマ候補リストを作成し、当該作成されたテーマ候補リストをユーザに提示するテーマ候補提示手段と、を備えた日記作成支援システムが開示されている。
【０００３】
また、毎日の行動の正確な内容を記述した日記を作成できるようにユーザを支援する日記作成支援装置の提案がある（例えば、特許文献２参照）。
特許文献２の日記作成支援装置は、ユーザから、日記作成対象日の日付を受け付け、ユーザの当日の種々の時点での位置情報を解析し、行動のパターンを特定する。そして、行動パターンごとに予め設定しておいた定型文（行動パターンの概要を記述した文）を埋め込んだ日記テンプレートをワードプロセッサの編集用画面に表示させる。これに対しユーザは、定型文を見て当日の行動を思い出してから、定型文に記述を追加する形で日記を作成することができるとされている。
【０００４】
また一方、その日に起こった出来事を文章と画像とでウェブ・ページ上に公開する電子絵日記を作成するに際してのユーザの手間を軽減するようにした電子絵日記作成装置の提案がある（例えば、特許文献３参照）。
特許文献３の電子絵日記作成装置は、カメラ付き携帯電話から送信日時，画像データ，メッセージ・データなどを含む電子メール・データが受信されると、該データの送信者に対応して電子絵日記データベースにこれらのデータを格納する。電子絵日記の閲覧要求があると、この閲覧要求に見合った電子絵日記を表示するためのウェブ・ページ・データを生成して要求元のクライアント・コンピュータに送信する。そして、クライアント・コンピュータの表示画面上に電子絵日記が表示されるというものである。
【０００５】
また、ユーザが携帯端末からインターネットを通じて随時断片的な日記データを日記帳自動作成システムに送信すると、この日記帳自動作成システムによってユーザの好みのスタイルのオリジナルな日記帳が作成され、ユーザに提供される技術が提案されている（例えば、特許文献４参照）。
特許文献４の日記帳自動作成システムでは、ユーザが情報端末機から断片的な日記データを逐次インターネットを通じて、サービス提供者の管理するサーバに送信すると、このサーバ側で受信データに識別情報を付して蓄積する。このようにして蓄積した日記データを、サーバのデータ検索・編集手段により予め登録されている形式に基づいて編集することにより、所望の形式の日記帳が作成される。
【０００６】
さらにまた、出張先や外出先からでもユーザが意図する文章を用いて自動的に日記を作成することができるような携帯端末装置が提案されている（例えば、特許文献５参照）。
特許文献５の携帯端末装置では、当日以前の時点である「予約日記」作成の段階でユーザにより事前に挿入することが予約されたスケジュール情報に対し、当日の日付が具体的に確定した段階で、「当日日記」に挿入できるようにしている。このため、ユーザが希望するスケジュール情報が挿入された「当日日記」を自動的に作成することができるとされている。
【０００７】
また、自動化の可能なところは、極力自動化し、ずぼらな人でも日記作成を継続できるようにした自動日記作成システムが提案されている（例えば、特許文献６参照）。
特許文献６の自動日記作成システムでは、天気、時事情報等の情報を保有するデータベースを作成し、プログラムによって、該データベースの情報に依拠して日記を自動作成しておく。そして、ユーザは該作成した結果をインターネット網を通じて参照し、所望に応じて参照情報の範囲を絞り込んだ上で日記を作成するというものである。日記の基本的な部分は日記作成プログラムで自動的に作成されているので、ユーザは気の向いた時にデータベースにアクセスして、参照訂正するだけで済むため、日記作成に要する大部分の労力を節約でき、ずぼらな人でも、日記の作成を几帳面に続けられるとされている。
【０００８】
上掲の各提案では、日記の作成者（ユーザ）の負担を軽減し、或いはまた、ウェブサイト上にその日記が公開されたときに衆目を集める内容となるように支援するといった点については相応の便宜が提供されるものと見込まれる。
ところで、昨今、絵文字や図柄等による装飾を施したデコレーションメールを用いたコミュニケーションも一つの流行となっており、この種のメールに関して、例えばデコメール（登録商標）といったようなサービスも既に事業化されている。
【先行技術文献】
【特許文献】
【０００９】
【特許文献１】特開２００８−２４２８０８号公報
【特許文献２】特開２００２−２１５６１１号公報
【特許文献３】特開２００３−１７３３０９号公報
【特許文献４】特開２００２−３７３１３５号公報
【特許文献５】特許第４２８１９１０号公報
【特許文献６】特開２００１−３３１６３９号公報
【発明の概要】
【発明が解決しようとする課題】
【００１０】
上述のような時代の趨勢にあって、時事ニュースに関する日記についても、絵文字や図柄等による装飾を施したり、装飾の形態を成すレイアウトで記述すれば、作成者も自ら楽しみつつ記述し、閲覧者側からも所謂受けの良い内容のものが作成されることが期待できる。
一方、昨今の情報通信技術の普及状況において、このような日記を作成するに際しては、携帯電話機等の入力コストが高い情報端末装置を用いてこれを行うことが一般的である。このように、入力コストが高い情報端末装置を用いて日記を作成する場合には、日記の装飾に関する操作を簡素化してそのコストを極力低廉に抑えたいという要請が強い。
【００１１】
しかしながら、上掲の各特許文献の開示には、時事ニュースに関する日記であるという具体的に特定された種別の日記について、このような日記の装飾に関する操作を簡素化し、これにより操作コストを低減させる方途は示されず、また、何らの示唆も提供されていない。
本発明は、上述のような状況に鑑みてなされたものであり、時事ニュースに関する日記の作成に際し、その日記の装飾に関する操作を簡素化し、操作コストを低減させることのできる時事ニュースに関する日記作成支援システムおよび時事ニュースに関する日記作成支援方法を提供することを目的とする。
【課題を解決するための手段】
【００１２】
上記課題を解決するために、次に列挙する技術を提案する。
（１）ユーザからの要求に応じて日記の作成処理および閲覧処理の何れかの処理を含む日記の管理のための処理を実行する日記管理部と、
日記の装飾に適用するテンプレートおよび該テンプレートを適用する制作意図を表す制作意図情報を共に管理するテンプレート管理部と、
ウェブ上に公開された情報およびニュース配信サービスサイトから提供されるニュース情報の何れかを含む情報を収集し、該収集された情報からキーワードを抽出し、該抽出されたキーワードのうち関連度の高い複数のキーワードを共起語として識別し、該識別された共起語を保持する時事ニュース管理部と、
前記ユーザが作成した日記が時事ニュースに関連する内容のものであるか否かを当該作成された日記に含まれるキーワードを前記時事ニュース管理部に保持された共起キーワードと照合して判定し、該判定の結果に応じて当該時事ニュースに適合する装飾用テンプレートを前記テンプレート管理部の管理下にあるテンプレートから選択し、該選択されたテンプレートをユーザに提供するテンプレート候補選択部と、
を備えていることを特徴とする日記作成支援システム。
【００１３】
上記（１）の日記作成支援システムでは、その日記管理部で、ユーザからの要求に応じて日記の作成処理および閲覧処理の何れかの処理を含む日記の管理のための処理を実行する。
また、そのテンプレート管理部で、日記の装飾に適用するテンプレートおよび該テンプレートを適用する制作意図を表す制作意図情報を共に管理する。
さらにまた、その時事ニュース管理部で、ウェブ上に公開された情報およびニュース配信サービスサイトから提供されるニュース情報の何れかを含む情報を収集し、該収集された情報からキーワードを抽出し、該抽出されたキーワードのうち関連度の高い複数のキーワードを共起語として識別し、該識別された共起語を保持する。
そして、そのテンプレート候補選択部で、前記ユーザが作成した日記が時事ニュースに関連する内容のものであるか否かを当該作成された日記に含まれるキーワードを前記時事ニュース管理部に保持された共起キーワードと照合して判定し、該判定の結果に応じて当該時事ニュースに適合する装飾用テンプレートを前記テンプレート管理部の管理下にあるテンプレートから選択し、該選択されたテンプレートをユーザに提供する。
【００１４】
（２）前記時事ニュース管理部は、或る短い期間内に突発的に顕著な流行を示したニュースに関するキーワードを話題キーワードとして弁別し、既定の注目期間において使用頻度が変化しつつ前記話題キーワードと共に用いられる共起語を動的な共起語として識別し保持するように構成され、
前記テンプレート候補選択部は、前記動的な共起語と関連度の高いテンプレートのタグ情報を特定するように構成されていることを特徴とする（１）の日記作成支援システム。
【００１５】
上記（２）の日記作成支援システムでは、（１）の日記作成支援システムにおいて特に、前記時事ニュース管理部は、或る短い期間内に突発的に顕著な流行を示したニュースに関するキーワードを話題キーワードとして弁別し、既定の注目期間において使用頻度が変化しつつ前記話題キーワードと共に用いられる共起語を動的な共起語として識別し保持する。更に、前記テンプレート候補選択部は、前記動的な共起語と関連度の高いテンプレートのタグ情報を特定する。
【００１６】
（３）前記時事ニュース管理部は、既定の長期に亘って広く一般的に用いられている共起語を静的な共起語として識別するように構成され、
前記テンプレート候補選択部は、前記動的な共起語とテンプレートとの関連度および前記静的な共起語とテンプレートとの関連度を比較し、前記動的な共起語との関連度が相対的に高いテンプレートのタグ情報を特定するように構成されていることを特徴とする（２）の日記作成支援システム。
【００１７】
上記（３）の日記作成支援システムでは、（２）の日記作成支援システムにおいて特に、前記時事ニュース管理部は、既定の長期に亘って広く一般的に用いられている共起語を静的な共起語として識別し、前記テンプレート候補選択部は、前記動的な共起語とテンプレートとの関連度および前記静的な共起語とテンプレートとの関連度を比較し、前記動的な共起語との関連度が相対的に高いテンプレートのタグ情報を特定する。
【００１８】
（４）記述された日記に関連する最新の話題キーワードを取得する第１ステップと、
前記第１ステップで取得した話題キーワードに関連して、当該話題キーワードの共起語を、突発的且つ顕著な流行を示した動的な共起語と長期に亘って広く一般的に用いられている静的な共起語に区分して取得し、該取得した動的な共起語と当該日記との関連度および静的な共起語と当該日記との関連度の対比に基づいて当該日記が時事ニュースについて記述されたものか否かを判定する第２ステップと、
前記第２ステップで当該日記が時事ニュースについて記述されたものでると判定されたときに、前記動的な共起語と既定の各テンプレートのタグ情報との関連度を算出し、各テンプレートについて当該日記への適合度合いの優先度付けをする第３のステップと、
前記第３のステップで付された優先度に応じてテンプレートの提示を行う第４のステップと、
を含んでいることを特徴とする日記作成支援方法。
【００１９】
上記（４）の日記作成支援方法では、第１ステップで、記述された日記に関連する最新の話題キーワードを取得する。また、第２ステップで、前記第１ステップで取得した話題キーワードに関連して、当該話題キーワードの共起語を突発的且つ顕著な流行を示した動的な共起語と長期に亘って広く一般的に用いられている静的な共起語に区分して取得し、該取得した動的な共起語と当該日記との関連度および静的な共起語と当該日記との関連度の対比に基づいて当該日記が時事ニュースについて記述されたものか否かを判定する。更にまた、第３のステップで、前記第２ステップで当該日記が時事ニュースについて記述されたものでると判定されたときに、前記動的な共起語と既定の各テンプレートのタグ情報との関連度を算出し、各テンプレートについて当該日記への適合度合いの優先度付けをする。そして、第４のステップで、前記第３のステップで付された優先度に応じてテンプレートの提示を行う。
【発明の効果】
【００２０】
本発明によれば、時事ニュースに関する日記の作成に際し、その日記の装飾に関する操作を簡素化し、操作コストを低減させることができる。
【図面の簡単な説明】
【００２１】
【図１】本発明の一つの実施の形態としての日記作成支援システムと外部機器との接続状態を表す概念図である。
【図２】本発明の一つの実施の形態としての日記作成支援システムを表す機能ブロック図である。
【図３】図２の日記作成支援システムの動作を表すシーケンスチャートである。
【図４】図２の日記作成支援システムにおけるテンプレート候補選択部中の時事ニュース判定部の作用を表す概念図である。
【図５】図２の日記作成支援システムにおける時事ニュース管理部の動作を表すシーケンスチャートである。
【発明を実施するための形態】
【００２２】
以下に図面を参照して本発明の実施の形態につき詳述することにより本発明を明らかにする。
（日記作成支援システムと外部機器との接続状態）
図１は、本発明の一つの実施の形態としての日記作成支援システムと外部機器との接続状態を表す概念図である。
クライアント端末１００、日記作成支援システム２００、ブログ・掲示板サービス用サーバ３００、および、ニュース配信サービス用サーバ４００がネットワーク５００を通して結ばれている。
クライアント端末１００は、ユーザ（作成者）が日記の作成および閲覧に用いられる。
日記作成支援システム２００は、本発明の一つの実施の形態をなすものであり、例えば、一つのサーバコンピュータにおける該当する機能部として具現される。
ブログ・掲示板サービス用サーバ３００は、ネットワーク５００上にブログや掲示板を公開する。
ニュース配信サービス用サーバ４００は、ネットワーク５００を通して時事ニュースを配信する。
【００２３】
（クライアント端末と日記作成支援システムの構成）
図２は、本発明の一つの実施の形態としての日記作成支援システムを表す機能ブロック図である。尚、この図２には図１を参照して説明したクライアント端末１００およびネットワーク５００を含んで表記し、図１との対応部には同一の参照符号を割り当てている。
【００２４】
（日記作成支援システムに対応するクライアント端末）
図２において、クライアント端末１００は、入力部１１０、通信部１２０、および、表示部１３０を含んで構成されている。
入力部１１０は、例えば入力スイッチ群等によって構成され、ユーザからの入力操作を受けて日記の作成や閲覧時の各種操作を管理する。
通信部１２０は、ネットワーク５００を介して日記作成支援システム２００との通信を行う他、ユーザの所望に応じて、携帯電話機等の他のクライアント端末との交信を行うために機能する。
表示部１３０は、例えば、液晶ディスプレイ等によって構成され、日記作成支援システム２００から取得した種々の情報を表示する他、他のクライアント端末から受信した情報の表示や、入力部１１０からの入力操作を行うための所要の表示を行う。
【００２５】
（日記作成支援システムの構成）
一方、日記作成支援システム２００は、日記管理部２１０、テンプレート管理部２２０、時事ニュース管理部２３０、テンプレート候補選択部２４０、および、通信部２５０を含んで構成されている。
【００２６】
（日記作成支援システムにおける日記管理部）
日記管理部２１０は、日記作成部２１１、日記表示部２１２、および、日記データベース２１３を含んで構成され、ユーザからの要求に応じて日記の作成処理および閲覧処理の何れかの処理（本実施の形態ではこれら双方の処理）を含む日記の管理のための処理を実行する。
日記作成部２１１は、日記のタイトルや本文の作成や編集を制御する。
日記表示部２１２は、ユーザが日記を閲覧する際に、どのような内容および画面構成でクライアント端末１００の表示部１３０における画面上に表示するかを決定し、該決定した内容および画面構成態様で表示するためのデータをクライアント端末１００に送信する。
また、日記データベース２１３は、ユーザが作成した日記を蓄積する。
【００２７】
（日記作成支援システムにおけるテンプレート管理部）
一方、テンプレート管理部２２０は、テンプレート登録部２２１、テンプレート検索部２２２、テンプレートプロパティ管理部２２３、および、テンプレートデータベース２２４を含んで構成され、日記の装飾に適用するテンプレートを、該テンプレートを適用する制作意図を表す制作意図情報と共に管理する。
テンプレート登録部２２１には、作成者（通常、既述のユーザと同一人であるが、これに限定される必然はない）が作成したテンプレートが登録される。この登録に際しては、当該テンプレートがどのような装飾を行うことを意図しているのかを表す制作意図情報を伴って行われる。そして、この制作意図情報は、簡潔なキーワードであるタグ情報の形態をとる。即ち、上述のようなタグ情報がテンプレートと共に登録され、管理される。
【００２８】
テンプレート検索部２２２は、入力されたキーワードに対応するタグ情報を持つテンプレートを抽出する。この抽出に際して、テンプレート検索部２２２は、テンプレートデータベース２２４に問い合わせ、それへの応答として該当するテンプレートと共に、その登録日や使用頻度等の付帯情報をも併せ取得する。
テンプレートプロパティ管理部２２３は、日記に使用された各テンプレートの使用頻度を把握し、この使用頻度を表す情報をテンプレートの付帯情報としてテンプレートデータベース２２４に登録し、ないしは、テンプレートデータベース２２４の既存の情報を更新する。
既述のとおり、テンプレートデータベース２２４には、作成者が作成したテンプレートと、対応するタグ情報、および、使用頻度を表す情報等の付帯情報が蓄積される。
【００２９】
（日記作成支援システムにおける時事ニュース管理部）
また一方、時事ニュース管理部２３０は、ニュース取得部２３１、話題キーワードデータベース生成部２３２、共起語データベース生成部２３３、話題キーワードデータベース２３４、静的な共起語データベース２３５、および、動的な共起語データベース２３６を含んで構成される。
そして、この時事ニュース管理部２３０は、ウェブ上に公開された情報およびニュース配信サービスサイトから提供されるニュース情報の何れかを含む情報を収集し、該収集された情報からキーワードを抽出し、該抽出されたキーワードのうち関連度の高い複数のキーワードを共起語として識別し、該識別された共起語を保持する。
【００３０】
ニュース取得部２３１は、図１を参照して既述のブログ・掲示板サービス用サーバ３００やニュース配信サービス用サーバ４００に定期的に問い合わせ、近時話題の時事ニュースを収集する。
話題キーワードデータベース生成部２３２は、ニュース取得部２３１が収集した時事ニュースから、現在時点および現在時点間際の注目期間において出現頻度が急峻に増加し高水準を維持した（即ち、バースト的に或る短い期間内に突発的に顕著な流行を示した）ニュースに関するキーワードを話題キーワードとして弁別し、話題キーワードデータベース２３４に登録する。
【００３１】
共起語データベース生成部２３３は、話題キーワードデータベース２３４に登録された各話題キーワードに対応して、その話題キーワードとブログやニュースの情報として共起する頻度が高いキーワードを識別し、共起語データベースに登録する。
この登録に際して、現在時点および現在時点間際の限定的な注目期間について突発的且つ顕著な流行を示した話題キーワードの共起語を動的な共起語として識別し、動的な共起語データベース２３６に登録する。
【００３２】
また、遡及可能な限りの過去から現在時点までの期間（一般的には、該当する事象が発生して以降現在時点に到るまでの期間、乃至は、現在時点から或る限定的な期間遡及した時点以降現在時点に到るまでの期間）における一切のブログおよびニュースから抽出した話題キーワードの共起語を静的な共起語として識別し、静的な共起語データベース２３５に登録する。
以上の結果、動的な共起語データベース２３６には最近の時事ニュースに付随してバースト的に出現するようになった共起語が登録され、静的な共起語データベース２３５には長期に亘って広く一般的に用いられている共起語が登録される。
【００３３】
（日記作成支援システムにおけるテンプレート候補選択部）
一方、テンプレート候補選択部２４０は、日記解析部２４１、話題キーワードマッチング部２４２、静的な共起語抽出部２４３、動的な共起語抽出部２４４、時事ニュース判定部２４５、および、テンプレート提示部２４６を含んで構成される。
そして、このテンプレート候補選択部２４０は、ユーザが作成した日記が時事ニュースに関連する内容のものであるか否かを当該作成された日記に含まれるキーワードを時事ニュース管理部２３０に保持された共起キーワードと照合して判定し、該判定の結果に応じて当該時事ニュースに適合する装飾用テンプレートをテンプレート管理部２２０の管理下にあるテンプレートから選択し、該選択されたテンプレートをユーザに提供する。
【００３４】
日記解析部２４１は、ユーザが作成した日記のタイトルと本文を形態素解析してキーワードを抽出する。
この抽出に際して、辞書を利用し、「スターバックス」に対する「スタバ」のような略語や、「だんな」「ダンナ」「旦那」のような表記のゆれを吸収する。
話題キーワードマッチング部２４２は、日記解析部２４１で抽出した日記中のキーワードと、話題キーワードデータベース２３４からから抽出した話題キーワードのリストを比較し、日記における話題キーワードの記述の有無を点検し、話題キーワードの記述があることが検出されたときには、当該話題キーワードを次の処理に付す。
【００３５】
静的な共起語抽出部２４３は、話題キーワードマッチング部２４２で検出された話題キーワードに対応する共起語を静的な共起語データベース２３５を検索して抽出する。
動的な共起語抽出部２４４は、話題キーワードマッチング部２４２で検出された話題キーワードに対応する共起語を動的な共起語データベース２３６を検索して抽出する。
時事ニュース判定部２４５は、既述のようにした抽出された「静的な共起語と日記との関連度」「動的な共起語と日記との関連度」を算出して両者を比較し、日記が時事ニュースについて記述されたものであるか否かを判定する。
【００３６】
尚、共起語と日記との関連度の算出については、共起語の特徴ベクトルと日記の特徴の近さ等で判定する。
但し、これらの算出に適用する論理の変更や追加や、パラメータの取捨は可能である。例えば、辞書を用いて共起語の同義語に対応できるようにしたり、共起語の共起語を抽出するなどの最適化も図り得るようにする。
テンプレート提示部２４６は、先ず時事ニュースについて記載された日記に対応して、その動的な共起語と各テンプレートのタグ情報との関連度を算出し、何れのテンプレートが最も日記に適合するかの優先度付けをする。
尚、関連度の算出については、動的な共起語の特徴ベクトルとテンプレートのタグ情報の特徴ベクトルとの近さ等で判定する。
【００３７】
但し、これらの算出に適用する論理の変更や追加や、パラメータの取捨は可能である。また、特徴ベクトルが一致したときには、テンプレートの利用頻度や登録時期の新しさも考慮して優先度を決める。即ち、利用頻度が同程度に高い場合には登録時期が新しいほど優先度を高く位置付ける。
即ち、優先度は、関連度の如何を一因子としつつ、それに、テンプレートの利用頻度や登録時期の新しさといった処置方の経時的推移をも他の因子として加味して判断される。この場合、上述の一因子と他の因子との重みの配分をどのようにするかは、想定した情致に合わせ、所謂「味付け」の如く、適宜に選択することができる。
【００３８】
（日記作成支援システムにおける通信部）
通信部２５０は、クライアント端末１００との通信を行う。
（日記作成支援システムの動作）
図３は図２の日記作成支援システムの動作を表すシーケンスチャートである。また、図４は図２の日記作成支援システム２００におけるテンプレート候補選択部２４０中の時事ニュース判定部２４５の作用を表す概念図である。
【００３９】
以下、図３のシーケンスチャートを参照し、図４の概念図をも適宜に用いて、日記作成支援システムの動作について説明する。
先ず、ユーザはクライアント端末１００から日記作成支援システム２００にアクセスし、日記を作成する（ステップＳ３０１）。
図４の例では、タイトルを「皆既日食」とし、本文の適宜の箇所に「今日の皆既日食は、嵐みたいな雨で全然見えなかった」なる件を含む日記０１が作成されたものと想定している。この件における「嵐」および「雨」は、後述するように、動的な共起語リストに見出される語である。
【００４０】
日記作成支援システム２００の日記管理部２１０では、通信部２５０を介してユーザが作成した日記を取得し、該取得した日記のタイトルと本文とをテンプレート候補選択部２４０に転送する（ステップＳ３０２）。
テンプレート候補選択部２４０では、最新の話題キーワードを取得するため、時事ニュース管理部２３０に問い合わせ（ステップＳ３０３）、最新の話題キーワードを取得する（ステップＳ３０４）。
【００４１】
図４の例における話題キーワードリストでは、第１順位に「皆既日食」が、第２順位に「エコカー」が、第３順位には「総選挙」が挙げられている。
次に、形態素解析によって日記のタイトルや本文中のキーワードを抽出し、ステップＳ３０４の処理で取得した話題キーワードのリストと比較し、日記中から話題となっているニュースに関するキーワードを抽出する処理を行う（ステップＳ３０５）。
【００４２】
ステップＳ３０５において日記中に話題キーワードが存在した場合には、その話題キーワードの共起語を取得するため、時事ニュース管理部２３０に問い合わせる（ステップＳ３０６；ステップＳ３０８）。即ち、静的な共起語取得依頼処理（ステップＳ３０６）およびこれに対する静的な共起語返信処理（ステップＳ３０７）と、これに続く、動的な共起語取得依頼処理（ステップＳ３０８）およびこれに対する動的な共起語返信処理（ステップＳ３０９）が実行される。
【００４３】
図４の例では、静的な共起語リストに、第１順位として「太陽」が、第２順位に「月」が、第３順位に「影」が、第４順位には「天文」が挙げられている。
また、動的な共起語リスト（即ち、最近１週間における共起語のリスト）に、第１順位として「嵐」が、第２順位に「雲」が、第３順位に「雨」が、第４順位には「部分日食」が挙げられている。
【００４４】
次いで、ステップＳ３０７およびステップＳ３０９で取得された静的な共起語および動的な共起語についてそれぞれ日記との関連度を抽出し、これにより日記に時事ニュースが記載されているか否かを判定する（ステップＳ３１０）。
ここで図４を参照すると、或る日記０１には、最近あった時事ニュースとして「皆既日食が雨で見られなかった」と合致する趣旨の記載があるため、この日記は「時事ニュースについて記載している」と判断する。
【００４５】
また、「皆既日食は太陽が月の影に隠れて見えなくなる現象である。」などの一般的な話について記載している日記については「時事ニュースについて記載していない」と判断する。
もし、日記に時事ニュースが記載されていると判定した場合には、次に、テンプレート管理部２２０に問い合わせ（テンプレート検索：ステップＳ３１１）、動的な共起語と関連度の高いタグ情報を持つテンプレートを取得する（テンプレート返信：ステップＳ３１２）。
【００４６】
次いで、テンプレート提示部２４６（既述のテンプレート候補選択部２４０における一つの機能部）において、各テンプレート毎に動的な共起語との関連度を算出し、該関連度を一因子としつつ、更に、テンプレートを提示する際の優先度を算出する（ステップＳ３１３）。
この場合、優先度の算出には動的な共起語の特徴ベクトルと、タグ情報の特徴ベクトルの近さ等を上述の一因子に対する他の因子として加味し、これらの因子に依拠した算出手法を適用する。
【００４７】
そして、テンプレート候補選択部２４０では、通信部２５０を介して、ユーザにテンプレート候補を提示する（ステップＳ３１４）。
尚、提示する情報は、装飾用のテンプレートに限らず、時事ニュースに関する商品や情報などを提示してもよい。
ユーザは提示された情報を見て、適用するテンプレート等を選択する（ステップＳ３１５）。
【００４８】
（日記作成支援システムにおける時事ニュース管理部の動作）
図５は、図２の日記作成支援システムにおける時事ニュース管理部の動作を表すシーケンスチャートである。そして、図５のシーケンスチャートは、上掲の実施の形態としての日記作成支援システムにおける時事ニュースを収集する際の基本的シーケンスを表わしている。
時事ニュース管理部２３０は、ブログ・掲示板サービス用サーバ３００やニュース配信サービス用サーバ４００に最新情報について問い合わせ（ステップＳ５０１；ステップＳ５０３）、最新情報を取得する（ステップＳ５０２；ステップＳ５０４）。
そして、取得した最新情報（最新ニュース）を解析し、現在時点および現在時点間際の注目期間において出現頻度が急峻に増加し高水準を維持した（即ち、或る短い期間内に突発的に顕著な流行を示した）キーワードを話題キーワードとして弁別し抽出する（ステップＳ５０５）。
【００４９】
次いで、話題キーワードと共起して出現するキーワードを弁別し、動的な共起語として抽出する（ステップＳ５０６）。
以上、図５を参照して説明した各ステップの処理は、基本的に、定期的なバッチ処理として実行するが、場合によっては、ユーザが日記を登録したタイミングでリアルタイムに処理を実行してもよい。
また、静的な共起語データベース２３５は、動的な共起語を長期間蓄積して生成するか、或るいは、静的な辞書から生成する。
【００５０】
（動的な共起語と静的な共起語との双方に依拠して判断を行うことについて）
以上説明した本発明の実施の形態において、動的な共起語と静的な共起語との双方に依拠して時事ニュースに関する日記であるか否かの判断を行うようにしているのは次のような理由による。
即ち、静的な共起語のみに依拠する場合には、例えば「清純派アイドル○○が逮捕」という最新の時事ニュースに対して、ユーザが「アイドル○○に驚いた！」と日記に記述した場合には、今までアイドル○○については「女優、アイドル、清純派」などのキーワードが共起し続けていたため、突発的にアイドル○○と共起し始めた「逮捕」は抽出できなくなる。
【００５１】
一方、動的な共起語のみに依拠する場合には、例えば「アイドル△△が結婚」という時事ニュースがあったときに、「アイドル△△」と「結婚」は共起関係となる。ここでユーザが「今週末に友達が結婚する。」と日記を記述した場合（アイドル△△に関係する日記か否かを判断せずに無条件で）、「結婚」の共起語として「アイドル△△」を抽出することが起こってしまう。
上述の不都合を回避するべく、動的な共起語と静的な共起語との双方を比較することによって、時事ニュースに関する日記であるか、その他の一般的記事であるかの判断を適切に行うことが可能になる。
【符号の説明】
【００５２】
１００………………………………クライアント端末
１１０………………………………入力部
１２０………………………………通信部
１３０………………………………表示部
２００………………………………日記作成支援システム
２１０………………………………日記管理部
２１１………………………………日記作成部
２１２………………………………日記表示部
２１３………………………………日記データベース
２２０………………………………テンプレート管理部
２２１………………………………テンプレート登録部
２２２………………………………テンプレート検索部
２２３………………………………テンプレートプロパティ管理部
２２４………………………………テンプレートデータベース
２３０………………………………時事ニュース管理部
２３１………………………………入力取得部
２３２………………………………話題キーワードデータベース生成部
２３３………………………………共起語データベース生成部
２３４………………………………話題キーワードデータベース
２３５………………………………静的な共起語データベース
２３６………………………………動的な共起語データベース
２４０………………………………テンプレート候補選択部
２４１………………………………日記解析部
２４２………………………………話題キーワードマッチング部
２４３………………………………静的な共起語抽出部
２４４………………………………動的な共起語抽出部
２４５………………………………時事ニュース判定部
２４６………………………………テンプレート提示部
２５０………………………………通信部
３００………………………………ブログ・掲示板サービス用サーバ
４００………………………………ニュース配信サービス用サーバ
５００………………………………ネットワーク
【図１】
2011159205.tif 000003
【図２】
2011159205.tif 000004
【図３】
2011159205.tif 000005
【図４】
2011159205.tif 000006
【図５】
2011159205.tif 000007